(57)【要約】【課題】建物の緊急状態の通知および管理する緊急通知管理システムを提供する。【解決手段】緊急事態の通知および管理のためのシステム（１００）は、キーパッド（７）ディスプレイ（８）、ＣＰＵ（５）およびメモリ（６）を含む制御装置（１）を含む。制御装置は、スイッチ（４）を介して接続される多くのリモートローカルユニット（３）に接続される。センサ（２）は、制御装置にも接続される。各リモートユニットは、通知が視覚メッセージとして表示できるように、表示装置（９）を含む。また、メッセージを可聴形態で送信できるようにスピーカ（１０）も存在する。【選択図】  図１
2008547105.tif 000002
【特許請求の範囲】
【請求項１】
制御装置と、前記制御装置からの信号を受信する前記制御装置に接続される多数のリモートユニットとを備え、前記リモートユニットは、制御装置からの信号に応じて通知を送信するように構成され、前記制御装置は、前記通知が検出された緊急事態によって異なるように前記検出された緊急事態に応じて前記リモートユニットに関連する信号を生成できることを特徴とする緊急通知および管理システム。
【請求項２】
前記リモートユニットの各々には、固有アドレスが割り当てられ、前記制御装置は、前記リモートユニットに送信される信号の送信先を決定し、該固有アドレスを用いて送信先の前記リモートユニットに前記信号の各々を送信することができる、請求項１に記載の緊急通知および管理システム。
【請求項３】
前記信号は、前記通知の内容に関する情報を含み、任意の前記リモートユニットに送信される通知情報は、前記リモートユニットごとに異なり、固有アドレスに基づく、請求項２に記載の緊急通知および管理システム。
【請求項４】
前記リモートユニットは、ディスプレイを含み、前記通知は、ディスプレイに表示される文字通知を含む、請求項１〜３のいずれか１項に記載の緊急通知および管理システム。
【請求項５】
前記通知は視覚表示を含む、請求項１〜４のいずれか１項に記載の緊急通知および管理システム。
【請求項６】
前記通知は可聴通知を含む、請求項１〜５のいずれか１項に記載の緊急通知および管理システム。
【請求項７】
前記通知は音声メッセージを含む、請求項１〜６のいずれか１項に記載の緊急通知および管理システム。
【請求項８】
前記制御装置に接続される少なくとも１つのセンサを含み、前記センサの各々は、外的危険の存在を検出し、検出した危険に応じて前記制御装置に信号を送信することができ、前記制御装置は、前記センサから受信した信号に応じて前記リモートユニットに関連する信号を生成することができる、請求項１〜７のいずれか１項に記載の緊急通知および管理システム。
【請求項９】
データは、前記制御装置に手動入力され、前記制御装置は、手動入力のデータに応じて前記リモートユニットに関連する信号を生成することができる、請求項１〜８のいずれか１項に記載の緊急通知および管理システム。
【請求項１０】
前記制御装置は、前記システムが設置される周囲の状況に関するデータを前記制御装置内に格納し、格納した該データに応じて信号を生成できる、請求項１〜９のいずれか１項に記載の緊急通知および管理システム。
【請求項１１】
前記制御装置は、所定手順によって通知を制御する信号を生成することができ、前記所定手順は前記検出した緊急事態によって異なる、請求項１〜１０のいずれか１項に記載の緊急通知および管理システム。
【請求項１２】
前記通知は避難方法に関する詳細情報を含む、請求項１〜１１のいずれか１項に記載の緊急通知および管理システム。
【請求項１３】
前記リモートユニットは、スイッチを介して前記制御装置に接続される、請求項１〜１２のいずれか１項に記載の緊急通知および管理システム。
【請求項１４】
多数のリモートユニットのうちの１つ以上から通知を送信するステップを含み、前記通知は、検出した緊急事態に応じて送信され、前記検出した緊急事態に基づくことを特徴とする緊急事態の通知および管理する方法。
【請求項１５】
送信される通知の内容は、送信元のリモートユニットによって変化させることができる、請求項１４に記載の緊急事態の通知および管理する方法。
【請求項１６】
送信される前記通知が視覚通知である、請求項１４または１５に記載の方法。
【請求項１７】
前記通知が可聴通知を含む、請求項１４〜１６のいずれか１項に記載の方法。
【請求項１８】
前記可聴通知は音声メッセージである、請求項１７に記載の方法。
【請求項１９】
前記送信される通知は、センサから受信される信号に応じて送信される、請求項１４〜１８のいずれか１項に記載の方法。
【請求項２０】
前記送信される通知は、手動入力に応じて送信される、請求項１４〜１９のいずれか１項に記載の方法。
【請求項２１】
前記通知は避難方法に関する詳細情報を含む、請求項１４〜２０のいずれか１項に記載の方法。
【請求項２２】
基本的に図１〜３に示す緊急事態の通知および管理システム。
【請求項２３】
基本的に図１〜３に示す緊急事態の通知および管理する方法。
【発明の詳細な説明】
【技術分野】
【０００１】
本発明は、緊急通知管理システムに関し、特に限定されないが、建物の緊急状態の通知および管理する緊急通知管理システムを提供する。特に、本発明は、開放的な建物または共用領域との通信がほとんど利用できない閉塞領域となっている建物に適用することができる。
【背景技術】
【０００２】
建物の緊急事態を特定し、管理する能力は、居住者ができるだけ迅速的かつ効率的に避難させることを確実にするために重要である。火災または爆弾の脅威といった緊急事態は、生命の危険を脅かし、居住者は、できるだけ迅速に避難する必要がある。皮肉にも、テロの脅威によって、施工者は入口を強化させたため、以前に比べて避難しにくくなっている。
【発明の開示】
【発明が解決しようとする課題】
【０００３】
課題の１つは、最適な避難方法に従うことができるように、緊急事態の発生場所および内容を特定できるようにすることである。従来の緊急事態の通知は、音声報知を伴う火災警報などの音響信号である。しかし、この従来の警報は、必ずしも警報の内容を特定せず、緊急事態の発生場所を示さない。音声報知と警報音を併用する場合、特に警報が鳴動し始めるときは、音声報知は、警報自体で「かき消され」るため、聞こえなくなる可能性がある。ほとんどの公共建築物は、適当な場所に避難方法を掲示している。この方法は一般的であり、全居住者を対象とするが、緊急事態の正確な内容について考慮されてない。居住者は、いつどのように避難するのかについての情報に基づいて決定をすることができない。避難中の居住者が、危険から避難しているのではなく、むしろ気付かずに危険領域へ移動しているといった危険が存在していることを意味する。
【課題を解決するための手段】
【０００４】
本発明によれば、制御装置と、制御装置からの信号を受信する制御装置に接続される多数のリモートユニットとを備え、リモートユニットは、制御装置からの信号に応じて通知を送信するように構成され、制御装置は、通知が検出された緊急事態によって異なるように検出された緊急事態に応じてリモートユニットに関連する信号を生成することができることを特徴とする緊急通知および管理システムが提供される。さらに、このリモートユニットは、居住者に通知を送信するために、建物内の適した場所に配置することができる。この通知は、場所および危険に対して適切に生成することができる。
【０００５】
好ましくは、各リモートユニットは、固有アドレスが割り当てられ、制御装置は、リモートユニットに送信される信号の送信先を決定し、固有アドレスを用いて送信先のリモートユニットに各信号を送信することができる。これにより、この信号をリモートユニットごとに調整できるといった利点がある。
【０００６】
好ましくは、信号は、通知の内容に関する情報を含み、任意のリモートユニットに送信される通知情報は、リモートユニットごとに異なり、固有アドレスに基づく。このように、任意の通知は、緊急事態に関するさまざまな詳細を含むことができ、その特定のユニットに関連させることができる。
【０００７】
好ましくは、リモートユニットは、ディスプレイを含み、通知は、ディスプレイに表示される文字通知を含む。また、方向指示などの視覚表現を表示することもできる。このように、視覚メッセージは、緊急事態について表示できることによって、非常警報でかき消されないことを意味する。
【０００８】
好ましくは、通知は可聴通知を含み、音声メッセージであってもよい。これにより、視覚メッセージが強化され、建物の視力障害のある居住者にとって不利にならないことを意味する。
【０００９】
好ましくは、システムは、制御装置に接続される少なくとも１つのセンサを含み、各センサは、外的危険の存在を検出し、検出した危険に応じて制御装置に信号を送信することができ、制御装置は、センサから受信した信号に応じてリモートユニットに関連する信号を生成することができる。このようにして、センサは、火災などの危険を検出でき、制御装置に詳細情報を送信することができ、さらに、適切なメッセージを確実に送信することができる。
【００１０】
好ましくは、データは、制御装置に手動入力され、制御装置は、手動入力のデータに応じてリモートユニットに関連する信号を生成することができる。これにより、周囲の状況や危険に対しても通知を調整できるさらなる柔軟性を提供し、居住者の関心を通常から緊急事態の内容へ促す必要がある。
【００１１】
好ましくは、制御装置は、システムが設置される周囲の状況に関するデータを制御装置内に格納し、格納したデータに応じて信号を生成できる。これによって、システムは、建物の構造、毒性化学物質の存在、任意の居住者といった他の要素を考慮するように通知を調整することができる。
【００１２】
好ましくは、リモートユニットは、スイッチを介して制御装置に接続される。
【００１３】
好ましくは、制御装置は、検出した緊急事態に基づく所定の方法によって通知を制御する信号を生成することができる。
【００１４】
好ましくは、通知は、避難方法に関する詳細情報を含む。
【００１５】
緊急事態の通知および管理する方法は、多数のリモートユニットのうちの１つ以上から通知を送信するステップを含み、通知は、検出した緊急事態に応じて送信され、検出した緊急事態に基づくことを特徴とする。
【００１６】
好ましくは、送信される通知内容は、送信元のリモートユニットによって変更できる。
【００１７】
好ましくは、送信される通知は、視覚通知である。好ましくは、通知は可聴通知を含み、音声メッセージであってもよい。
【００１８】
好ましくは、送信される通知は、センサから受信する信号に応じて送信される。
【００１９】
好ましくは、送信される通知は、手動入力に応じて送信される。
【００２０】
好ましくは、通知は、避難方法に関する詳細情報を含む。
【発明を実施するための最良の形態】
【００２１】
緊急事態の通知および管理システム１００は、多数のリモートセンサ２に接続される中央制御装置１を含む。中央制御装置１は、任意の適切なＣＰＵ５および付随するメモリ６を含む。ＣＰＵ５は、アプリケーションソフトウェアおよび適切なオペレーティングシステムを用いてシステム１００を作動することができる。ＣＰＵおよびメモリを用いることは、当業者にとって周知であり、本明細書に詳述する必要がないものとする。また、制御装置は、オペレータが、データまたは情報を手動入力できる、あるいは、緊急状態応答を開始できるキーパッド７と、情報または詳細情報を要求するオペレータに表示するディスプレイ８を含む。以下で詳述するように、制御装置１は、センサ２からのデータと、緊急事態の通知を与え、適切に緊急事態を管理するためにオペレータの入力データを受信することができる。
【００２２】
また、制御装置１は、多くのスイッチ４を介して多数のローカルユニット３に接続される。本発明の本実施形態において、ローカルユニット３は、表示装置９およびスピーカ１０を含むことにより、視覚メッセージを表示装置９から表示させ、スピーカ１０を介して音声メッセージを出力する。本実施形態において、３個のスイッチ４ａ〜４ｃを介して制御装置１に接続される９個のローカルユニット３ａ〜３ｉが存在している。
【００２３】
緊急事態が発生すると、センサ２から受信する信号に応じて制御装置１からスイッチ４を経由してローカルユニット３へ信号を送信し、緊急事態に関する情報を音声形態および視覚形態の両方でローカルユニット３に報知する。
【００２４】
制御装置１は、建物および居住者に関する各種情報を格納する。かかる情報には、以下が挙げられる。
・システムの一部である各センサに関する情報（アドレス、センサの種類およびセンサの位置）
・ローカルユニット３の位置に関する情報特に、ディスプレイ９の方向
・建設中に使用した建築材料の種類、建設の種類ならびに材料および／または建築構造が、火災、ガス漏れ、爆発などの様々な危険にどれくらい対応できるかといった関連情報
・任意の危険の種類および重大性の評価や、建物からの避難方法に関連すると考えられる建物の設備／配置
かかる情報には、非常階段、エレベータ、出口などの位置や、例えば、健常者である、あるいは、年齢または身体障害により建物から出るために補助を必要とするかといった居住者の特徴が挙げられる。
【００２５】
ローカルユニット３は、必要に応じて建物全体にわたって配置される。例えば、図１において例示される上記の実施形態では、例えば、ローカルユニット３ａ〜３ｃを１階に、ローカルユニット３ｄ〜３ｆは２階に、ローカルユニット３ｇ〜３ｉは３階の適切な場所に設置することができる。１個のスイッチ４を、各階のそれぞれのローカルユニット３に対して各階に備えることができる。
【００２６】
センサ２は、必要に応じて建物周辺でも設置され、煙センサ、手動警報、ガスセンサなどの多くのさまざまなセンサを含むことができる。
【００２７】
各スイッチは、固有アドレスを有することにより、必要に応じて各ローカルユニット３にデータを送信することができる。すなわち、各ローカルユニット３は、制御装置１によって個々に制御することができる。制御装置１、スイッチ４およびローカルユニット３は、任意の適切なネットワークプロトコル（例えば無線、ＲＳ２３２ＣまたはＩＰアドレスを有するイーサネット（登録商標））を用いて、相互接続することができる。このネットワークプロトコルの使用は当業者にとって周知であり、本発明に関連すること以外は本明細書に詳述する必要がないものとする。
【００２８】
スイッチ４およびローカルユニット３の実構造および実操作は、用いるネットワークプロトコルにより異なるが、選択するネットワーク構造およびプロトコルに従って、データを制御装置１からスイッチ３を介してローカルユニット３に送信できる任意の適切な配置であってよい。
【００２９】
制御装置１は、緊急手順を必要とする脅威となりうる危険の存在を多くの方法で受信することができる。センサ２のうちの１台は、これに該当する危険の存在を検出し、制御装置１にデータ信号を送信することができる。データ信号から、信号を受信した固有アドレスを特定することによって危険の場所に関する情報を制御装置１に与えることにより、危険の種類を次々に識別する。例えば、センサ２が煙センサである場合、センサ２が煙を検出すると、信号が制御装置１に送信され、建物内の特定の場所に設置されるセンサ２近傍の煙であることを判断する。
【００３０】
他の実施形態では、信号は、オペレータによって制御装置１に入力することができる。例えば、脅威に応じて所定位置に適切な緊急手順を必要とするオペレータに、爆破予告を伝えることができる。
【００３１】
システム１００で利用される方法は、救急隊の標準実施要領に基づき、基本的に、緊急事態に対して以下の３つの項目を網羅する。
１）緊急事態の主なデータの収集
２）警備／緊急事態管理の人員への指示
３）建物の居住者への指示
【００３２】
データ収集処理構成は、発生している特定の種類の緊急事態を対処するために重要であるデータを収集するように設計される。例えば、火災の場合には、制御装置１は、ディスプレイ８を介してシステムオペレータに火災の場所、種類および範囲について問い合わることによってデータ収集を促すか、あるいは、センサ２からデータを自動収集する。
【００３３】
制御装置１は、初期処理に基づく各種のデフォルトパラメータを格納する。このデフォルトパラメータは、センサからのデータ入力を介して、あるいは、オペレータによって手動で更新することができる。オペレータは、キーパッド７を介してデータを入力してもよい。
【００３４】
デフォルトパラメータは、火災の場所、その場所で使用した建築材料などの場所の既知の特徴、その場所内で格納される材料および居住者の歩行的な特徴などに基づく。
【００３５】
しかしながら、緊急事態発生中、パラメータは、センサおよび手動入力によって更新することができる。例えば、特定の部屋に火災が広がる場合、制御装置１は、その部屋のセンサ２が制御装置１に信号を送信することによって、火災の場所を更新し、処理を変えることができる。センサ故障またはセンサが検出できない脅威（例えば爆弾）の場合には、手動入力が制御装置１に受け付けられ、パラメータを更新する。
【００３６】
図２に例示するデータ収集処理の一部では、緊急事態が、制御装置１に信号を自動入力または手動入力することによって発生すると、制御装置１はオペレータに問い合わせる、あるいは、受信信号を解析して危険の種類を判断する。危険の種類が明確になると、制御装置１は、危険の種類に従って一連のステップを開始することができる。
【００３７】
この時点で、制御装置１は、スイッチ４およびローカルユニット３を介し、居住者に対して所定の場所に通知を送信することができる。
【００３８】
本明細書で記載する実施形態では、実際の通知方法は、上記のとおり、場所および検出した危険の種類、制御装置メモリ６に格納されるパラメータ、内在する建築材料、建築構造、人員などによって異なる。
【００３９】
制御装置１は、危険の種類および場所ならびに上記のパラメータを判断すると、最適な危険管理手順を選択することができる。例えば、センサ２のうちの１台が火災を検出すると、制御装置１は、火災緊急手順などを自動的に開始する。
【００４０】
判定したパラメータによって、制御装置１は、適切な危険管理手順およびパラメータに基づいて選択したローカルユニット３に通知を送信することができる。この通知は、居住者が注目し、必要に応じて従うことができる情報および／または指示を含む。通知には、「誤報」、「試験」、「火災検出、指示をお待ちください」、「直ちに階段３を通って建物を避難してください」などの情報が挙げられる。この通知は、危険管理手順および適切であると考えられる他のパラメータに応じて適切な時間に送信される。制御装置１がローカルユニット３の場所に関する情報を有するため、方向指示をディスプレイ９に表示することができる。例えば、爆発の火災または現場から離れるように居住者を誘導するため、矢印を表示することができる。
【００４１】
居住者や、緊急事態に対処する緊急事態管理人員に与える指示は、時間および事象に関連する。適切な居住者に伝える時系列パラメータに関連する指示の例には、領域の建築材料の耐火性に基づいて、消化を実施する、あるいは、その領域から避難するように緊急事態人員に指示（制御装置メモリ６に格納される情報）および火災が指定時間内で消火したかによって待機または避難する指示が挙げられる。そこで、例えば、センサ２が所定時間後も火災を検出する場合、制御装置１は、選択領域から直ちに避難するようにスイッチ４を介して適切なローカルユニット３に通知を送信することができる。
【００４２】
事象に基づく指示は、過去の事象に応じて得られる指示に関連する。例えば、建物の一定部分からの避難指示は、当然避難した低層階で一旦出されたと考えられる。
【００４３】
制御装置１が用いる危険管理手順は、救急隊によって普段利用される制御装置１に適合させ、プログラミングした標準実施要領からなる。図３は、制御装置１によって管理される方法を例示する。この方法は、以下のようにして避難を管理する必要があるという管理標準の火災避難方法に基づく。
１）火災が発生した階に加えてその上２階およびその下２階から避難させる
２）その５つの階から避難させたあと、その火災が発生した階より上の階すべてを避難させる
３）最後に、火災が発生した階より下の階すべてを避難させる
【００４４】
この標準手順を用い、制御装置１は次のように動作する。センサ２は火災の存在を検出して信号を制御装置１に送信し、信号は、送信元のセンサを特定するデータを含むことから、制御装置１はそのセンサを特定し、火災の存在、更には火災の場所を判定することができる。別の実施形態において、上記のように、制御装置１に接続しないセンサまたは危険（例えば爆弾）に関与しないセンサによって、適切な危険管理手順を開始するために、場所に関するデータおよび危険の種類を制御装置１に手動入力することができる。
【００４５】
次いで、制御装置１は、従うべき火災管理手順を選択することができる。その後、制御装置は、（メモリ６に格納されるデータから）火災が発生した階およびその上２階およびその下２階の全ローカルユニット３の固有アドレスを判定する。次いで、制御装置１は、「直ちに避難」の通知をこのローカルユニット３の各々に（適切なスイッチ４を介して）送信することができる。この指示は、このローカルユニット３で表示され、スピーカ１０から音響指示として伝えられる。また、断続した音響警報を伴うこともできる。制御装置１は、「避難待ち」の通知を他のローカルユニット３に送信することができる。その結果、居住者は、建物から避難することができる。
【００４６】
通知は、建物を出る方法に関する情報を含むこともできる。これにより、火災が発生した階上の領域に限定することができる。例えば、何人かの居住者には、ある出口を使用するように通知し、その他の居住者には、第２の出口を使用するように通知することができる。各ローカルユニット３が固有アドレスを有するので、居住者の出口／場所の配置などへの避難を調整することができる。建築材料の性質による毒性ガスを含む危険性がある場合は、例えば、この毒性ガスが発生すると考えられる領域を通って人員を避難させないように考慮して避難を管理することができる。このデフォルトパラメータは、事態の既知パラメータに基づく。しかしながら、例えば煙が拡散するなどの場合（毒性ガスセンサが建物に設置されていないかどうか不明である場合）、専門家の指示（例えば消防士の指示）をキーパッド７で手動入力することによって、デフォルトの指示を無効にすることができる。
【００４７】
制御装置１は、煙の存在を検知した所定の出口の１つの近傍に位置するセンサ２を特定した場合、ローカルユニット３によって、別の出口を経て避難するように居住者への通知を確実に実施することができる。
【００４８】
このため、手動入力が要求される。しかしながら、その時点までにオペレータからの入力が受信されない場合、デフォルトの避難時間が入力され、システムは、オペレータに避難が完了していないことを確認するように要求する。
【００４９】
この階の避難が完了すると、制御装置１は、火災発生の階より上階に設置される全ローカルユニット３の固有アドレスを判定し、まだ避難が完了していないと判断し、ローカルユニット３に「直ちに避難する」の通知を送信する。上記のように、このメッセージは、居住者が適切に対応できるように、視覚的かつ聴覚的に示される。通知が次の群のローカルユニットへの送信は、オペレータによって手動入力によって開始される。しかしながら、最大避難時間を設定するデフォルトパラメータもまた、制御装置１に格納される。この所定のデフォルト時間内でオペレータから制御装置１に手動入力されない場合、制御装置１は、オペレータに避難がまだ完了していないことの確認を要求するメッセージを制御装置ディスプレイ８でオペレータに表示することができる。手動入力が受信されない場合、この所定時間を再度徒過したなどの後にこのメッセージは再表示される。
【００５０】
この階の避難を完了すると、制御装置１は、他のすべてのローカル端末のアドレスを判定し、すべて残りのローカルユニット３に同じ通知を送信することができる。
【００５１】
このようにして、整然とした避難ができる。
【００５２】
このようにして、制御装置１は、上記の要因に依存して送信され、正しい場所にただちに送信できる通知に従い、最適な方法で検出した危険を管理する。通知は、事実上一般的であるというよりむしろ必要とされるものに対して特有である。
【００５３】
本発明の範囲内で変更できることは明らかである。システム１００は、任意の潜在的な危険を管理するために用いることができる。唯一必要とされることは、適切な危険管理手順を制御装置１に格納することである。また、本明細書に記載するパラメータ以外のパラメータについて、危険管理手順を開発の際に考慮することができる。
【００５４】
複数の危険緊急事態が発生した場合、制御装置１は、存在する複数の危険から事象をモデル化し、適切な危険管理手順を生成することができる。これによって、制御装置１が監視する重要点を含むことができる。この重要点で、制御装置１は、従うべき適切な危険管理プロセスを判定し、この重要点を満たさない場合、適切な手順に従う別のモデルを生成することができる。
【００５５】
あるいは、火災発生通知は、オペレータが制御装置１にキーパッド８で手動入力することができる。制御装置は、火災が特定の階で発生していることを入力し、火災管理手順を実施する必要があることを判定して上記のステップに従う。
【００５６】
本発明の別の実施形態では、全ローカルユニット３は、制御装置１に接続され、上記のデジタル信号よりむしろアナログ信号を受信するために配置することができる。本実施形態において、ローカルユニット３は、簡易ネットワーク構造で配置される。信号は、制御装置１からローカルユニット３に同時に送信され、シンプルスイッチ４は、選択したローカルユニットから切断または信号を停止できる。
【００５７】
明細書の全体にわたって、内容によって特に要求されない限り、用語「含む」は、定まった整数または整数群の包含を意味し、他のいかなる整数または整数群の除外を意味しないことが理解される。
【図面の簡単な説明】
【００５８】
本発明について、例示目的のみの添付の図面を参照しながら説明する。
【図１】本発明の緊急事態の通知および管理システムの概略図である。
【図２】適切な危険管理方法をどのように選択するかについて説明するフローチャートである。
【図３】建物の避難のための火災管理方法を用い、システムが実施するステップのフローチャートである。
【図１】
2008547105.tif 000003
【図２】
2008547105.tif 000004
【図３】
2008547105.tif 000005
【国際調査報告】
2008547105.tif 000006
2008547105.tif 000007
2008547105.tif 000008